(57)【特許請求の範囲】
【請求項１】
袋ものを開口状態で保持するための組立式の袋もの支持スタンドであって、
支柱部材と、
前記支柱部材の上端部に該支柱部材と同軸上で回転可能に設けられた首部材と、
前記支柱部材に対して開閉可能で且つ袋ものの開口部を開口した状態で保持し得る第１の環状部材と、
前記首部材に対して開閉可能で且つ袋ものの開口部を開口した状態で保持し得る第２の環状部材と、
前記支持部材の下端部に互いに１８０度ずれた位置に開脚／閉脚可能に設けられた脚部材と、
を有し、
前記第１、第２の環状部材を前記支柱部材及び前記首部材に重なるように閉じると共に該首部材を回転させて前記第１の環状部材と、前記第２の環状部材とを面体状に重ね、且つ前記脚部材を閉脚して該脚部材を前記第１、第２の環状部材と共に面体状に収納し得ることを特徴とする袋もの支持スタンド。
【発明の詳細な説明】
【０００１】
【発明の属する技術分野】
本発明は、袋ものを開口状態で保持するための組立式の袋もの支持スタンドに関するものである。
【０００２】
【従来の技術】
近年、ゴミの分別回収が行われており、特に工事現場ではゴミの種類を詳細に分別することが要求されている。従って、ゴミの種類に応じた複数のゴミ袋を用意する必要がある。工事現場では狭いスペースに複数のゴミ袋を効率的に配置する必要があり、更にゴミ袋を永久に配置するのではなく工事期間中のみ配置し、工事終了後には撤去する必要があった。
【０００３】
例えば、ゴミ袋を開口状態で保持するための組立式スタンドとして不使用及び運搬時等にコンパクトに収納することの出来る組立式スタンドが特開2001-163402号公報により提案されている。この組立式スタンドによればコンパクトに収納することが出来、且つ組立も容易となり、運搬、移動にも便利である。
【０００４】
【発明が解決しようとする課題】
しかしながら、前述の従来例では、１つのスタンドに１つのゴミ袋を取り付けるように構成したものであって、１つのスタンドに２つ以上の複数のゴミ袋を取り付け得るものではない。例えば、燃えるゴミと燃えないゴミの分別、更には廃品リサイクル等を目的とした木質類、プラスチック類、鉄系金属類、アルミニウム系金属類、ペットボトル類等の多種の分別を行なうためには多数の組立式スタンドが必要であった。
【０００５】
本発明は前記課題を解決するものであり、その目的とするところは、１台の袋もの支持スタンドで複数種類の分別を行なうことが出来ると共に支持スタンド自体がコンパクトに収納することが出来、且つ組立も容易で運搬、移動にも便利な袋もの支持スタンドを提供せんとするものである。
【０００６】
【課題を解決するための手段】
前記目的を達成するための本発明に係る袋もの支持スタンドは、袋ものを開口状態で保持するための組立式の袋もの支持スタンドであって、支柱部材と、前記支柱部材の上端部に該支柱部材と同軸上で回転可能に設けられた首部材と、前記支柱部材に対して開閉可能で且つ袋ものの開口部を開口した状態で保持し得る第１の環状部材と、前記首部材に対して開閉可能で且つ袋ものの開口部を開口した状態で保持し得る第２の環状部材と、前記支持部材の下端部に互いに１８０度ずれた位置に開脚／閉脚可能に設けられた脚部材とを有し、前記第１、第２の環状部材を前記支柱部材及び前記首部材に重なるように閉じると共に該首部材を回転させて前記第１の環状部材と、前記第２の環状部材とを面体状に重ね、且つ前記脚部材を閉脚して該脚部材を前記第１、第２の環状部材と共に面体状に収納し得ることを特徴とする。
【０００７】
本発明は、上述の如く構成したので、袋もの支持スタンドを使用する際には支持部材を起立させ、更に第１、第２の環状部材を略水平に開くと共に首部材を回転させて第１の環状部材と、第２の環状部材とを所定の配置に設定し、該該第１、第２の環状部材に袋ものを開口状態で保持することが出来る。
【０００８】
また、袋もの支持スタンドを収納する際には、第１、第２の環状部材を支柱部材及び首部材に重なるように閉じると共に首部材を回転させて第１の環状部材と、第２の環状部材とが面体状に重なる位置に設定することで、第１、第２の環状部材を面体状にコンパクトに収納することが出来る。
【０００９】
また、前記支柱部材の下端部に開脚／閉脚可能に設けられた脚部材を設けたことで、該脚部材を開脚して支柱部材を容易に起立させることが出来、該脚部材を閉脚すれば、第１、第２の環状部材と共に該脚部材をも面体状にコンパクトに収納することが出来る。
【００１０】
このように、組立も容易で運搬、移動にも便利であり、各第１、第２の環状部材を１または複数設けることで多種類の分別を行なうことが出来る。この袋もの支持スタンドはゴミの分別の他にも商品の陳列や部品の収納等、各種の利用目的に応じて適用可能である。
【００１１】
【発明の実施の形態】
図により本発明に係る袋もの支持スタンドの一実施形態を具体的に説明する。図１は本発明に係る袋もの支持スタンドの正面図、図２は本発明に係る袋もの支持スタンドの側面図、図３は本発明に係る袋もの支持スタンドの平面図、図４は脚部材の係止部の構成を示す斜視図、図５は環状部材の係止部の構成を示す斜視図、図６は脚部及び環状部材を閉じてコンパクトに収納した状態を示す斜視図、図７は脚部及び環状部材を開いて該環状部材に袋ものを開口状態で保持した状態を示す斜視図である。
【００１２】
図１〜図７において、１は袋ものの一例として各種のゴミを分別するゴミ袋２を開口状態で保持するための組立式の袋もの支持スタンドであり、支柱部材３の下端部には互いに１８０度ずれた位置に開脚／閉脚可能な脚部材４，５が設けられている。
【００１３】
脚部材４，５は一対の略半円形の環状部材により構成されており、角管により構成された支柱部材３の下端部両面側に取り付けられたヒンジ部材６，７を介して該支柱部材３に対して略９０度の範囲で回動可能に取り付けられている。
【００１４】
脚部材４，５を支柱部材３に対して略９０度回動させて開脚すると、該脚部材４，５の当接片４ａ，５ａが支柱部材３の表面に当接して脚部材４，５の図１の矢印ａ，ｂ方向の回動が拘束される。
【００１５】
一方、支柱部材３の所定位置には回動軸８ａ，９ａを中心に該支柱部材３に対して略１８０度の範囲で回動可能な丸棒からなる係止部材８，９が取り付けられており、図４に示すように、脚部材４，５を開脚した状態で該脚部材４，５の所定位置に設けられた係合部材４ｂ，５ｂに係止部材８，９の係止部８ｂ，９ｂを係合して係止することで脚部材４，５の図１の矢印ｃ，ｄ方向の回動が拘束される。
【００１６】
これにより、脚部材４，５を開脚し、係止部材８，９により係止することで支柱部材３を安定して起立させることが出来る。
【００１７】
また、支柱部材３の回動軸８ａ，９ａから係止部材８，９の長さに応じた位置には掛留部材10ａ，11ａが取り付けられており、係止部材８，９を回動して係止部８ｂ，９ｂを掛留部材10ａ，11ａに係合させて係止することで該係止部材８，９を支柱部材３に沿って収納することが出来、更に脚部材４，５を図１の矢印ｃ，ｄ方向に回動させて支柱部材３の表面両側に設けられた掛留部材10ｂ，11ｂに係合部材４ｂ，５ｂを係合させて係止することで脚部材４，５を支柱部材３に沿って閉脚した状態で収納することが出来る。
【００１８】
尚、係止部材８，９が支柱部材３に対して所定の回動抵抗を持って取り付けられた場合には掛留部材10ａ，11ａを省略し、該回動抵抗により該係止部材８，９を支柱部材３に沿って収納することも出来る。
【００１９】
支柱部材３の上端部には該支柱部材３と同軸上で回転可能に設けられた首部材12が設けられている。首部材12は支柱部材３と略同じ外径を有する角管で構成されており、図５に示すように支柱部材３の天部に設けられた天板３ａと首部材12の底部に設けられた底板12ａとの間に図３に示す回転軸19等の回転手段が設けられ、該回転軸19を中心に首部材12が支柱部材３に対して同軸上で回転自在に設けられている。
【００２０】
支柱部材３の掛留部材10ａ，11ａが設けられた位置よりも上部で該支柱部材３の表面両側には第１の環状部材となる第１リング部材13を回動可能に支持する回動軸３ｂ及び同じく第１の環状部材となる第２リング部材14を回動可能に支持する回動軸３ｃが設けられている。
【００２１】
また、同じく、首部材12の表面両側には第２の環状部材となる第３リング部材15を回動可能に支持する回動軸12ｂ及び同じく第２の環状部材となる第４リング部材16を回動可能に支持する回動軸12ｃが設けられている。
【００２２】
第１〜第４リング部材13〜16の一端部には支柱部材３及び首部材12の夫々の両面に沿ってスライド及び回動し得る一対のスライド回動片13ａ〜16ａが取り付けられており、該一対のスライド回動片13ａ〜16ａは補強片13ｂ〜16ｂにより接続されて補強されている。
【００２３】
各スライド回動片13ａ〜16ａには長穴13ｃ〜16ｃが形成されており、支柱部材３及び首部材12に設けられた回動軸３ｂ，３ｃ及び回動軸12ｂ，12ｃに該長穴13ｃ〜16ｃが挿通されて、回動軸３ｂ，３ｃ及び回動軸12ｂ，12ｃを中心に各スライド回動片13ａ〜16ａが回動自在で且つ長穴13ｃ〜16ｃに沿ってスライド自在に構成されている。
【００２４】
第１、第３リング部材13，15の一対のスライド回動片13ａ，15ａの夫々の離間幅は、第２、第４リング部材14，16の一対のスライド回動片14ａ，16ａの夫々の離間幅よりも該スライド回動片13ａ，15ａの夫々の２枚分の板厚よりも若干大きくなるように設定されており、支柱部材３及び首部材12に設けられた回動軸３ｂ，12ｂの両端部には長穴13ｃ，15ｃの短径方向の幅よりも大きな幅を有する図示しないフランジ部が形成されている。
【００２５】
これにより、第１、第３リング部材13，15の一対のスライド回動片13ａ，15ａが第２、第４リング部材14，16の一対のスライド回動片14ａ，16ａの外側に位置して互いに干渉することなくスライド及び回動し得るようになっている。
【００２６】
尚、支柱部材３及び首部材12に設けられた回動軸３ｂ，12ｂの両端部にフランジ部を形成することなく、第１、第３リング部材13，15の一対のスライド回動片13ａ，15ａが第２、第４リング部材14，16の一対のスライド回動片14ａ，16ａに接触摺動しつつ回動する構成でも良い。
【００２７】
支柱部材３及び首部材12の夫々の両面所定位置には突起部３ｄ，12ｄが設けられており、第２、第４リング部材14，16のスライド回動片14ａ，16ａを回動軸３ｃ，12ｃを中心に回動させて略水平に持ち上げると共に長穴14ｃ，16ｃに沿って回動軸３ｃ，12ｃに係合しつつスライドさせ、該スライド回動片14ａ，16ａの上端部に設けられた係止溝14ｄ，16ｄを突起部３ｄ，12ｄに係止することで第２、第４リング部材14，16を略水平方向に配置した状態で保持することが出来る。
【００２８】
一方、第１、第３リング部材13，15のスライド回動片13ａ，15ａを回動軸３ｂ，12ｂを中心に回動させて略水平に持ち上げると共に長穴13ｃ，15ｃに沿って回動軸３ｂ，12ｂに係合しつつスライドさせ、該スライド回動片13ａ，15ａの上端部に設けられた係止溝13ｄ，15ｄを回動軸３ｃ，12ｃに係止することで第１、第３リング部材13，15を略水平方向に配置した状態で保持することが出来る。
【００２９】
内側に配置されたスライド回動片14ａ，16ａは長穴14ｃ，16ｃに回動軸３ｃ，12ｃが挿通され、外側に配置されたスライド回動片13ａ，15ａの一部が内側のスライド回動片14ａ，16ａにオーバーラップして内側のスライド回動片14ａ，16ａの回動軸３ｃ，12ｃからの脱落を防止している。
【００３０】
また、外側のスライド回動片13ａ，15ａは、その外側にワッシャ17を介して回動軸３ｂ，12ｂの端部に形成されたネジ部にナット18が螺合締着され、これにより回動軸３ｂ，12ｂに対して移動自在で、且つ該回動軸３ｂ，12ｂからの脱落を防止している。ナット18はダブルナットや袋ナットで構成することでも良い。
【００３１】
本実施形態のように、ナット18を回動軸３ｂ，12ｂの端部に形成されたネジ部に螺合して外側のスライド回動片13ａ，15ａを固定した構成では、第１、第３リング部材13，15を支柱部材３や首部材12に組み付ける際の組み立て性が良く、部分的な破損等によるメンテナンスも容易である。尚、ワッシャ17を回動軸３ｂ，12ｂに直接溶接して第１、第３リング部材13，15を支柱部材３や首部材12から脱離出来ない状態で取り付けることも出来る。
【００３２】
また、第２、第４リング部材14，16のスライド回動片14ａ，16ａに固定される補強片14ｂ，16ｂはビス14ｈ，16ｈにより着脱可能に固定されており、これにより第２、第４リング部材14，16を支柱部材３や首部材12に組み付ける際の組み立て性が良く、部分的な破損等によるメンテナンスも容易である。尚、補強片14ｂ，16ｂをスライド回動片14ａ，16ａに直接溶接して第２、第４リング部材14，16を支柱部材３や首部材12から脱離出来ない状態で取り付けることも出来る。
【００３３】
スライド回動片13ａ〜16ａには孔13ｅ〜16ｅが設けられており、該孔13ｅ〜16ｅには第１〜第４リング部材13〜16の内側に沿って嵌装される丸棒からなるリング状の係止部材13ｆ〜16ｆの端部が回動可能に挿入して設けられている。
【００３４】
図７は、各種ゴミを分別するための４つのゴミ袋２を各第１〜第４リング部材13〜16に開口状態で保持した様子を示すものであり、先ず、係止部材13ｆ〜16ｆを回動して第１〜第４リング部材13〜16の外側に退避させた後、ゴミ袋２の開口部を各第１〜第４リング部材13〜16の内側から挿通して該第１〜第４リング部材13〜16の外側に折り返し、該ゴミ袋２の開口部に挿通された留め紐２ａにより折り返し部を縛る。そして、係止部材13ｆ〜16ｆを回動して第１〜第４リング部材13〜16の内側に嵌入してストッパ13ｇ〜16ｇに突き当て、ゴミ袋２の開口部を開口した状態で保持することが出来る。
【００３５】
上記袋もの支持スタンド１を使用する際には、先ず、図４において、支柱部材３に沿って収納された脚部材４，５を外側に引っ張って係合部材４ｂ，５ｂと掛留部材10ｂ，11ｂとの係合を外し、脚部材４，５を開脚した後、係止部材８，９の係止部８ｂ，９ｂを脚部材４，５の係合部材４ｂ，５ｂに係止して支持部材３を起立させる。
【００３６】
次に図５において、支柱部材３に沿って収納された第２、第４リング部材14，16を持ち上げて回動軸３ｃ，12ｃを中心に略９０度回動して該第２、第４リング部材14，16を略水平に開き、長穴14ｃ，16ｃに沿って該第２、第４リング部材14，16を支柱部材３及び首部材12の方向にスライドさせてスライド回動片14ａ，16ａの係止溝14ｄ，16ｄを突起部３ｄ，12ｄに係合させて係止する。
【００３７】
次に第１、第３リング部材13，15を持ち上げて回動軸３ｂ，12ｂを中心に略９０度回動して該第１、第３リング部材13，15を略水平に開き、長穴13ｃ，15ｃに沿って該第１、第３リング部材13，15を支柱部材３及び首部材12の方向にスライドさせてスライド回動片13ａ，15ａの係止溝13ｄ，15ｄを回動軸３ｃ，12ｃに係合させて係止する。
【００３８】
そして、首部材12を回転させて第１の環状部材となる第１、第２リング部材13，14と、第２の環状部材となる第３、第４リング部材15，16とが重ならないような配置に設定する。
【００３９】
次に各第１〜第４リング部材13〜16の係止部材13ｆ〜16ｆを回動して該第１〜第４リング部材13〜16の外側に退避させた後、ゴミ袋２の開口部を各第１〜第４リング部材13〜16の内側から挿通して該第１〜第４リング部材13〜16の外側に折り返し、該ゴミ袋２の開口部に挿通された留め紐２ａにより折り返し部を縛る。そして、係止部材13ｆ〜16ｆを回動して第１〜第４リング部材13〜16の内側に嵌入してストッパ13ｇ〜16ｇに突き当て、ゴミ袋２の開口部を開口した状態で保持することが出来る。
【００４０】
ゴミ袋２の高さを、袋もの支持スタンド１の高さに対応した高さで構成することによりゴミ袋２内にゴミを入れても袋もの支持スタンド１がひっくり返ることがない。
【００４１】
また、袋もの支持スタンド１を収納する際には、係止部材13ｆ〜16ｆを回動させて第１〜第４リング部材13〜16の外側に退避させ、留め紐２ａを解いてゴミ袋２を第１〜第４リング部材13〜16から取り外す。
【００４２】
その後、首部材12を回転させて第１の環状部材となる第１、第２リング部材13，14と、第２の環状部材となる第３、第４リング部材15，16とが面体状に重なる位置に設定し、第１、第３リング部材13，15を持ち上げてスライド回動片13ａ，15ａの係止溝13ｄ，15ｄを回動軸３ｃ，12ｃから外し、長穴13ｃ，15ｃに沿って第１、第３リング部材13，15を支柱部材３及び首部材12と反対方向にスライドさせつつ回動軸３ｂ，12ｂを中心に下側に回動して該第１、第３リング部材13，15を支柱部材３及び首部材12に沿って閉じる。
【００４３】
次に第２、第４リング部材14，16を持ち上げてスライド回動片14ａ，16ａの係止溝14ｄ，16ｄを突起部３ｄ，12ｄから外し、長穴14ｃ，16ｃに沿って第２、第４リング部材14，16を支柱部材３及び首部材12と反対方向にスライドさせつつ回動軸３ｃ，12ｃを中心に下側に回動して該第２、第４リング部材14，16を支柱部材３及び首部材12に沿って閉じる。
【００４４】
そして、係止部材８，９の係止部８ｂ，９ｂを係合部材４ｂ，５ｂから外し、該係止部材８，９を回動軸８ａ，９ａを中心に回動させて掛留部材10ａ，11ａに係止した後、脚部材４，５をヒンジ部材６，７を中心に図１の矢印ｃ，ｄ方向に回動させて支柱部材３に沿って閉じ、係合部材４ｂ，５ｂを掛留部材10ｂ，11ｂに係止して収納する。
【００４５】
このように各第１〜第４リング部材13〜16及び脚部材４，５を支柱部材３及び首部材12に沿って重なるように閉じることで、袋もの支持スタンド１を面体状にコンパクトに収納することが出来る。
【００４６】
上述したように、袋もの支持スタンド１は組立も容易で運搬、移動にも便利であり、支柱部材３に設けられる各第１の環状部材及び首部材12に設けられる第２の環状部材を複数設けることで多種類の分別を行なうことが出来る。
【００４７】
前記実施形態では、第１の環状部材として、支柱部材３に対して開閉可能で且つ互いに略１８０度ずれた位置に第１、第２リング部材13，14を設け、第２の環状部材として、首部材12に対して開閉可能で且つ互いに略１８０度ずれた位置に第３、第４リング部材15，16を設けた場合の一例について説明したが、支柱部材３や首部材12に袋ものとなるゴミ袋２の開口部を開口した状態で保持し得る環状部材が１つずつ設けられる場合であっても良く、更には袋ものとなるゴミ袋２の開口部を開口した状態で保持し得る環状部材が比較的小さな径で構成される場合には、支柱部材３や首部材12に他の複数の環状部材を設けることも可能である。
【００４８】
また、支柱部材３や首部材12に設けられる複数の環状部材は前述した第１、第２リング部材13，14や第３、第４リング部材15，16のように略同じ高さ位置に配置する他に各支柱部材３や首部材12に段違いに配置することも出来る。
【００４９】
また、首部材12の上部に更に同様な第２の首部材12を追加して第３、第４リング部材15，16等を設けても良く、必要な数だけ首部材12の上部に他の複数の首部材12を取り付けて所望の数だけ第３、第４リング部材15，16等を設けて構成することでも良い。
【００５０】
尚、前記実施形態では、多種類のゴミの分別に利用されるゴミ袋２の支持スタンドとして構成した場合の一例について説明したが、本発明に係る袋もの支持スタンドは前述したゴミの分別の他にも商品の陳列や部品の収納等、種々の利用目的に応じて適用可能である。
【００５１】
【発明の効果】
本発明は、上述の如き構成と作用とを有するので、袋もの支持スタンドを使用する際には支持部材を起立させ、更に第１、第２の環状部材を略水平に開くと共に首部材を回転させて第１の環状部材と、第２の環状部材とを所定の配置に設定し、該該第１、第２の環状部材に袋ものを開口状態で保持することが出来る。
【００５２】
また、袋もの支持スタンドを収納する際には、第１、第２の環状部材を支柱部材及び首部材に重なるように閉じると共に首部材を回転させて第１の環状部材と、第２の環状部材とが面体状に重なる位置に設定することで、第１、第２の環状部材を面体状にコンパクトに収納することが出来る。
【００５３】
このように、組立も容易で運搬、移動にも便利であり、各第１、第２の環状部材を１または複数設けることで多種類の分別を行なうことが出来る。この袋もの支持スタンドはゴミの分別の他にも商品の陳列や部品の収納等、各種の利用目的に応じて適用可能である。
【図面の簡単な説明】
【図１】  本発明に係る袋もの支持スタンドの正面図である。
【図２】  本発明に係る袋もの支持スタンドの側面図である。
【図３】  本発明に係る袋もの支持スタンドの平面図である。
【図４】  脚部材の係止部の構成を示す斜視図である。
【図５】  環状部材の係止部の構成を示す斜視図である。
【図６】  脚部及び環状部材を閉じてコンパクトに収納した状態を示す斜視図である。
【図７】  脚部及び環状部材を開いて該環状部材に袋ものを開口状態で保持した状態を示す斜視図である。
【符号の説明】
１…袋もの支持スタンド
２…ゴミ袋
２ａ…留め紐
３…支柱部材
３ａ…天板
３ｂ，３ｃ…回動軸
３ｄ…突起部
４，５…脚部材
４ａ，５ａ…当接片
４ｂ，５ｂ…係合部材
６，７…ヒンジ部材
８，９…係止部材
８ａ，９ａ…回動軸
８ｂ，９ｂ…係止部
10ａ，10ｂ，11ａ，11ｂ…掛留部材
12…首部材
12ａ…底板
12ｂ，12ｃ…回動軸
12ｄ…突起部
13〜16…第１〜第４リング部材
13ａ〜16ａ…スライド回動片
13ｂ〜16ｂ…補強片
13ｃ〜16ｃ…長穴
13ｄ〜16ｄ…係止溝
13ｅ〜16ｅ…孔
13ｆ〜16ｆ…係止部材
13ｇ〜16ｇ…ストッパ
14ｈ，16ｈ…ビス
17…ワッシャ
18…ナット
19…回転軸
【図１】
0003992515.tif 000002
【図２】
0003992515.tif 000003
【図３】
0003992515.tif 000004
【図４】
0003992515.tif 000005
【図５】
0003992515.tif 000006
【図６】
0003992515.tif 000007
【図７】
0003992515.tif 000008